(57)【要約】【課題】  使用過程又は保存過程において、水分がフィルム状組成物に付着したとしても、フィルム状組成物同士が溶着することなく、一枚ずつ取り出して使えるフィルム状組成物を提供するものである。【解決手段】  水溶性高分子化合物が含まれているフィルム状組成物に顆粒成分を含有させ、フィルム状組成物同士の溶着を防止したことを特徴とする。また、顆粒成分が造粒顆粒で、造粒顆粒の平均粒径が５〜４００μｍ、好ましくは２０〜２００μｍであることを特徴とする。【選択図】  なし【特許請求の範囲】
【請求項１】
少なくとも水溶性高分子化合物が配合され、乾燥させてシートを形成するフィルム状組成物において、顆粒成分が含有されていることを特徴とするフィルム状組成物。
【請求項２】
顆粒成分が造粒顆粒であることを特徴とする請求項１に記載のフィルム状組成物。
【請求項３】
顆粒成分の平均粒径が５〜４００μｍ、好ましくは２０〜２００μｍであることを特徴とする請求項１又は２に記載のフィルム状組成物。
【請求項４】
顆粒成分の配合量が乾燥後のフィルム状組成物全体に対して、０．１〜２０質量％、好ましくは１〜１５質量％であることを特徴とする請求項１乃至３のいずれかに記載のフィルム状組成物。
【請求項５】
界面活性剤成分が含まれていて、洗浄性を有することを特徴とする請求項１乃至４のいずれかに記載のフィルム状組成物。
【請求項６】
保湿成分が含まれていて、保湿性を有することを特徴とする請求項１乃至５のいずれかに記載のフィルム状組成物。
【発明の詳細な説明】
【技術分野】
【０００１】
本発明は、フィルム状の美容シート、美白シート、石鹸シート、洗顔シート、シャンプーシート、リンスシート、入浴剤シート等に応用できるフィルム状組成物に関するものであって、携帯性に優れると共に、フィルム状組成物が積層状態で長期間置かれた場合でも、フィルム状組成物同士が溶着することなく、確実に一枚ずつ取り出せるようにしたものである。
【背景技術】
【０００２】
フィルム状組成物は、下記特許文献に示されるように、携帯用の洗浄剤として広く知られている。例えば、特開昭５３−９１９１３号公報の記載のように、メチルセルロースやポリビニルアルコール等の水溶性高分子と脂肪族石鹸とからなるフィルム状組成物が知られている。しかし、上記のフィルム状組成物においては、石鹸をフィルム状に成形するための必須成分であるメチルセルロースやポリビニルアルコールの作用によってヌメリ感がある洗浄感が残り、スッキリとした洗浄効果が得られないという使用性面における不都合があった。更に、大きな問題点としては、フィルム状組成物を積層して、ケース又は袋に入れて一枚ずつ使用していく過程で、フィルム状組成物に水分が付着すると水溶性高分子や中味成分が溶け出し、フィルム状組成物同士がくっついて、一枚ずつ取り出すことができないという事態が発生していた。これらの現象は、空気中の水分を吸収したり、フィルム状組成物を取り出すときに、手に付いていた水分がフィルム状組成物に移ったりして生じているものであるが、このために長期間での使用性の低下を招いていた。本発明はこの課題を解決しようとするものであり、その目的は、フィルム状組成物同士が溶着することを防止するとともに、フィルム状組成物の使用性の向上を図るものである。
【０００３】
【特許文献１】特開昭５３−９１９１２号公報
【特許文献２】特開昭５３−９１９１３号公報
【特許文献３】特開昭６２−８１４３２号公報
【特許文献４】特開平２−２２４００号公報
【特許文献５】特開２００３−１４７４００号公報
【発明の開示】
【発明が解決しようとする課題】
【０００４】
本発明は、上記課題を解決せんとするものであり、使用過程又は保存過程において、水分がフィルム状組成物に付着したとしても、フィルム状組成物同士が溶着することなく、一枚ずつ取り出して使えるフィルム状組成物を提供するものである。また、界面活性剤成分が含まれているフィルム状組成物においては、フィルム状組成物に配合された顆粒成分の効果によって、洗浄時にスクラブ効果にも優れ、ヌメリ感のない洗浄効果を発揮するものである。
【課題を解決するための手段】
【０００５】
少なくとも水溶性高分子化合物が配合され、乾燥させてシートを形成するフィルム状組成物において、顆粒成分が含有されていることを特徴とする。
【０００６】
また、顆粒成分が造粒顆粒であることを特徴とする。
【０００７】
また、顆粒成分の平均粒径が５〜４００μｍ、好ましくは２０〜２００μｍであることを特徴とする。
【０００８】
また、顆粒成分の配合量が乾燥後のフィルム状組成物全体に対して、０．１〜２０質量％、好ましくは１〜１５質量％であることを特徴とする。
【０００９】
また、界面活性剤成分が含まれていて、洗浄性を有することを特徴とする。
【００１０】
また、保湿成分が含まれていて、保湿性を有することを特徴とする。
【発明の効果】
【００１１】
フィルム状組成物に顆粒成分を配合したことにより、ケース内に積層されているフィルム状組成物に水分が付着したとしても、フィルム状組成物同士が溶着することがなく、長期間に渡って、確実に一枚ずつ最後まで取り出すことが可能である。一般的に、フィルム状組成物は携帯用として販売されるので、一枚ずつ確実に最後まで取り出せるということは特に商品価値を大きく高めることになる。また、フィルム状組成物に顆粒成分と界面活性剤成分が含まれている場合には、洗浄時の顆粒成分によるスクラブ効果にも優れ、ヌメリ感のない洗浄効果を発揮するものである。
【発明を実施するための最良の形態】
【００１２】
以下、本発明について詳細に説明する。本発明で使用される水溶性高分子化合物は、水溶性であって、乾燥後にフィルム状の膜を形成するものであれば、特に限定されないが、セルロース、セルロースエーテル（例えば、メチルセルロース、ヒドロキシエチルメチルセルロース、ヒドロキシプロピルメチルセルロース、ヒドロキシブチルメチルセルロース、ヒドロキシエチルセルロース、ヒドロキシプロピルセルロース、ヒドロキシブチルセルロース、カルボキシメチルセルロース)等のセルロース類;ポリビニルアルコール;デンプン、プルラン、ヒアルロン酸ナトリウム等の多糖類;水溶性コラーゲン、アルギン酸ナトリウム、ポリビニルピロリドン等が挙げられる。特にヒドロキシプロピルメチルセルロース、ヒドロキシプロピルセルロース、デンプン、プルランが好適である。なお、上記の水溶性高分子化合物は、単独で使用しても２種以上を組み合わせて使用してもよい。
【００１３】
フィルム状組成物の組成物中、水溶性高分子化合物の乾燥前の含有量は、２〜５０質量％、特にヒドロキシプロピルメチルセルロースおよびヒドロキシプロピルセルロースの場合は４〜２０質量％，デンプンおよびプルランの場合は１０〜４５質量％が好ましい。水溶性高分子化合物の含有量が少なすぎるとフィルム状に成形することができず、逆に多すぎると、当該水溶性高分子化合物が使用時にのり状になって、使用性が悪いものになり、好ましくない。フィルム状組成物の乾燥後の含有量は、１５〜４５質量％が好ましい。
【００１４】
本発明で使用される顆粒成分としては、造粒顆粒が使用できる。顆粒成分の平均粒径は、数μｍの微粒子のものから平均粒径が数百μｍのスクラブ感のあるものまで種々のグレードがあるが、本発明に用いる顆粒成分としては、一般的な化粧料に用いられる造粒顆粒であればすべて用いることができる。乾燥後のフィルム状組成物の溶着を防止するためには、顆粒成分の平均粒径が５〜４００μｍ程度のもの、好ましくは２０〜２００μｍのものが用いられる。
【００１５】
乾燥後のフィルム状組成物における顆粒成分の配合量は、好ましくは０．１〜２０質量％であり、さらに好ましくは１〜１５質量％である。０．１質量％未満では溶着防止機能を得られ難く、一方、配合量が２０質量％を超えると、使用時でのザラツキ感が強く、使用性が悪いものになる。
【００１６】
顆粒成分は、色素や薬剤等で着色することができる。着色することによって、フィルム状組成物に分散されていることが良く分かり、スクラブ効果に対する期待と、フィルム状組成物のフィルムとしての審美性をより発揮することができる。
【００１７】
また、顆粒成分としての造粒顆粒は、粉末成分同士を結合させて顆粒状とした一般的な造粒顆粒で、湿潤乾燥法、押し出し造粒法、均一に混合した粉末を流動層の中で浮遊させながら、結合剤を溶解させた溶媒、水等を噴霧して造粒する流動層造粒法等の方法を用いて作られる。
【００１８】
本発明の造粒顆粒に使用される粉末としては、亜鉛華、タルク、マイカ、セリサイト、酸化チタン、酸化鉄、カオリン、シリカ等の一般的な無機顔料や、水に不溶の塩類、例えば、炭酸カルシウム、リン酸カルシウム等が用いられる。また、汎用高分子材料も用いることができる。例えば、ポリエチレン、ポリプロピレン、ポリスチレン等の炭化水素系高分子、ナイロン等のポリアミドメタクリレート系高分子、ポリウレタン系高分子、シリコン系高分子、及びこれらの共重合体である。また、水溶性の粉末も上記の成分とともに併合することができる。さらに粉末の中には必要に応じて色素や薬剤等も配合することができる。
【００１９】
これら粉末の一種又は二種以上を結合剤を用いて常法により造粒することにより、本発明に用いる造粒顆粒が製造される。
【００２０】
上記結合材としては、油性系結合剤以外にヒドロキシエチルセルロース、ヒドロキシメチルセルロース等の親水性セルロース系高分子や、エチルセルロース、メチルセルロース等の疎水性セルロース系高分子の他、ポリエチレングリコール等を用いることができる。
【００２１】
なお、前記結合剤を溶解するために用いられる溶媒としては、エタノール、アセトン等、皮膚に対して刺激が少ない溶媒であればどのような溶媒でも使用することができる。
【００２２】
フィルム状組成物が特に石鹸シート、シャンプーシート、リンスシートである場合には、界面活性剤成分が配合されている。界面活性剤成分としては、脂肪酸アルカリ塩、Ｎ−長鎖アシルアミノ酸塩、アルキル硫酸エステル塩、ポリオキシエチレンアルキルエーテル硫酸塩等のアニオン界面活性剤、イミダゾリン系両性界面活性剤、ベタイン系両性界面活性剤等の両性界面活性剤、ポリオキシエチレンアルキルエーテル、ポリオキシエチレン脂肪酸エステル、ショ糖脂肪酸エステル、アルキルグリコシド、マルチトールヒドロキシ脂肪族エーテル等の非イオン界面活性剤、トリメチルアルキルアンモニウムクロライド等のカチオン界面活性剤を配合することができる。
【００２３】
脂肪酸アルカリ塩における脂肪酸としては、炭素数８〜２４の、直鎖状または分岐鎖状で、飽和または不飽和の脂肪酸であり、炭素数は１２〜１８であることが好ましい。好適な脂肪酸の具体例としては、ラウリン酸、ミリスチン酸、パルミチン酸、ステアリン酸、イソステアリン酸等の飽和脂肪酸、オレイン酸等の不飽和脂肪酸、これらの混合物であるヤシ油脂肪酸、パーム油脂肪酸、パーム核油脂肪酸、牛脂脂肪酸、硬化牛脂脂肪酸が挙げられる。
【００２４】
上記脂肪酸アルカリ塩におけるアルカリとしては、ナトリウム、カリウム、リチウム等のアルカリ金属、カルシウム、マグネシウム等のアルカリ土類金属、エタノールアミン（モノ体、ジ体、トリ体）、塩基性アミノ酸（リジン、アルギニン、ヒスチジン等）等の有機アミン等が挙げられる。好適なアルカリの具体例としては、ナトリウム、カリウム等が挙げられる。なお、上記脂肪酸アルカリ塩は、単独で使用しても２種以上を組み合わせて使用してもよい。
【００２５】
乾燥後のフィルム状組成物の組成物中、上記の脂肪酸アルカリ塩の含有量は、１５〜６５質量％、特に２０〜６０質量％が好ましい。当該含有量が少なすぎると固化性に劣り、逆に多すぎるとフィルム状組成物が硬くて脆くなり柔軟性に劣るので、好ましくない。
【００２６】
本発明のフィルム状組成物には、必要に応じて、グリセリン、ジグリセリン、１，３−ブチレングリコール、プロピレングリコール、ジプロピレングリコール、ポリエチレングリコール、ショ糖、ソルビット、ヒアルロン酸ナトリウム等の保湿剤、エデト酸塩等のキレート剤、センブリ、シャクヤク、イリス、スギナ、アロエ、カミツレ、ユーカリ油、グリシルリチン酸ジカリウム等の植物抽出成分、トラネキサム酸、アルブチン等の薬剤、香料、色素、防腐剤等を加えることができる。
【００２７】
更に、本発明のフィルム状組成物には、透明性と洗浄性を高めるために、下記一般式(Ａ)で表される化合物を加えることができる。
【００２８】
一般式(Ａ)
Ｒ − ＣＨ − ＣＨ２− ＯＸ１                                                          ｜                                                                              ＯＸ２    
（式中、Ｒは、Ｃ４−３４のアルキル基またはＣ４−３４のアルケニル基であり、Ｘ１  およびＸ２の少なくとも一方は−ＣＨ２ＣＯＯＭで、残りは水素原子である。ここで、  Ｍは、アルカリ金属、アルカリ土類金属、アンモニウム、低級アルカノールアミンカチ  オン、低級アルキルアミンカチオンまたは塩基性アミノ酸カチオンである。）
【００２９】
上記一般式（Ａ）の化合物は、特開昭63-280798号に示されている化合物で、ＲにおけるＣ４−３４のアルキル基とは、直鎖または分岐鎖のアルキル基であり、例えば、ブチル基、ヘキシル基、オクチル基、デシル基、ドデシル基、テトラデシル基、ヘキサデシル基、オクタデシル基、エイコシル基、ドコシル基、テトラコシル基、２−エチルヘキシル基、２−ヘキシルデシル基、２−オクチルウンデシル基、２−デシルテトラデシル基、２−ウンデシルヘキサデシル基等が挙げられる。Ｃ４−３４のアルケニル基とは、直鎖または分岐鎖のアルケニル基であり、例えば、オクテニル基、デセニル基、ドデセニル基、テトラデセニル基、ヘキサデセニル基、オクタデセニル基等が挙げられる。上記一般式（Ａ）におけるＲとしては、フィルム状組成物の泡立ちが特に良好となる点から、Ｃ８−１８直鎖アルキル基が好適であり、デシル基、ドデシル基が特に好適である。
【００３０】
また、上記一般式（Ａ）において、Ｍにおけるアルカリ金属としては、ナトリウム、カリウム、リチウム等が挙げられる。アルカリ土類金属としては、カルシウム、マグネシウム、バリウム等が挙げられる。低級アルカノールアミンカチオンを形成する低級アルカノールアミンとしては、エタノールアミン、ｎ−プロパノールアミン、イソプロパノールアミン等の炭素数１〜４のアルカノールアミンであり、モノ、ジ、トリ体のいずれでもよい。低級アルキルアミンカチオンを形成する低級アルキルアミンとしては、メチルアミン、エチルアミン、ｎ−プロピルアミン、イソプロピルアミン等の炭素数１〜４のアルキルアミンであり、モノ、ジ、トリ体のいずれでもよい。塩基性アミノ酸を形成する塩基性アミノ酸としては、リジン、アルギニン、オルニチン、ヒスチジン等が挙げられる。上記一般式（Ａ）におけるＭとしては、透明フィルム状組成物の泡立ちが特に良好となる点から、アルカリ金属、低級アルカノールアミンカチオンが好適であり、ナトリウム、カリウムが特に好適である。
【００３１】
上記一般式（Ａ）においては、Ｘ１およびＸ２の少なくとも一方が−ＣＨ２ＣＯＯＭで、残りが水素原子であり、このような構造の化合物（ｃ）を配合することにより、透明フィルム状組成物の溶解性および泡立ちが向上する。上記化合物（ｃ）の具体例としては、例えば、オクタン−１，２−ジオール酢酸エーテルナトリウム、デカン−１，２−ジオール酢酸エーテルナトリウム、ドデカン−１，２−ジオール酢酸エーテルナトリウム、テトラデカン−１，２−ジオール酢酸エーテルナトリウム、ヘキサデカン−１，２−ジオール酢酸エーテルナトリウム、オクタデカン−１，２−ジオール酢酸エーテルナトリウム等が挙げられる。なお、上記化合物（ｃ）は、Ｘ１とＸ２のいずれか一方が−ＣＨ２ＣＯＯＭである化合物でも、またＸ１とＸ２両方が−ＣＨ２ＣＯＯＭである化合物でもよく、さらにはこれらの混合物でもよい。また、上記化合物（ｃ）は、単独で使用しても２種以上を組み合わせて使用してもよい。
【００３２】
上記化合物（ｃ）は、例えば、Ｍがナトリウムである場合、アルキル−１，２−ジオールを、ジオキサン等のエーテル系溶媒中、窒素気流中で金属ナトリウム等を用いてアルコラート化し、次いで、クロロ酢酸ナトリウムと反応させることにより得られる。透明フィルム状組成物の組成物中、上記化合物（ｃ）の含有量は、２〜２５質量％、特に３〜１５質量％が好ましい。当該含有量が少なすぎると、溶解性および泡立ちが充分ではないためフィルム状組成物として実用的ではなく、逆に多すぎると、ベタツキが多くなるため製膜作業性が劣るおそれがあるので、好ましくない。
【００３３】
本発明のフィルム状の美容シート、美白シートには、保湿成分が配合されている。保湿成分とは、一般的な化粧料に配合されている保湿剤で、例えば、ポリエチレングリコール、プロピレングリコール、グリセリン、１，３-ブチレングリコール、キシリトール、ソルビトール、マルチトール、コンドロイチン硫酸、ヒアルロン酸、ムコイチン硫酸、カロニン酸、アテロコラーゲン、コレステリル-１，２-ヒドロキシステアレート、乳酸ナトリウム、胆汁酸塩、dl-ピロリドンカルボン酸塩、短鎖可溶性コラーゲン、ジグリセリン(EO)PO付加物、イザヨイバラ抽出物、セイヨウノコギリソウ抽出物、メリロート抽出物等を挙げることができる。
【００３４】
これら保湿成分の配合量は、目的とするフィルム状組成物によって異なるが、乾燥後のフィルム状の美容シート、美白シートで３〜２０質量％である。これらの保湿成分は、フィルム状組成物の製造工程において溶液状態で配合することもできるが、造粒顆粒の中に予め入れておき、その造粒顆粒を製造工程で加えることでも目的を達成できる。
【００３５】
また、フィルム状の美容シート、美白シートには各種薬剤を配合することができる。例えば、Ｌ−アスコルビン酸およびその誘導体、グルタチオン、トラネキサム酸およびその誘導体、アルブチン、アルコキシサリチル酸及びその塩、コウジ酸及びその誘導体、エラグ酸、レゾルシン誘導体、カミツレエキス等の美白薬剤を挙げることができる。
【００３６】
これら薬剤は、フィルム状組成物の製造工程において溶液状態で配合することもできるが、安定性等に問題がある場合は、造粒顆粒中に配合することもできる。これら薬剤の配合量は、一般的な化粧品に配合されている配合量と同じである。
【００３７】
本発明のフィルム状組成物は、フィルム状組成物の組成物を均一に混合溶解させた原液を調製してから、従来公知の方法により製膜することができる。製膜作業は、例えば、上記調製した原液を、６０〜９０℃程度に加熱した基体表面に供給して流延し、乾燥することにより成形される。この時、乾燥後の厚さが２０〜１８０μｍとなるように、流延するのがよい。
【００３８】
また、前述した上記一般式（Ａ）の化合物（ｃ）を更に配合することにより、組成物のクラフト点が低下するために溶解性が向上すると共に、当該化合物（ｃ）自身の優れた起泡性により組成物の泡立ちも向上する。したがって、透明感があり、薄いフィルム状組成物を形成することができることに加えて、すばやく溶けて、泡立ちが良好であり、スクラブ効果があり、フィルム状組成物同士が溶着することなく、意匠性、携帯性、使用性に優れたフィルム状組成物が得られる。
【００３９】
次のような試験方法を用いて、本発明のフィルム状組成物の溶着性と製膜性を評価した。作成したフィルム状組成物を６ｃｍ×６ｃｍの大きさに切断し、切断したフィルム状組成物を６０枚重ねて、４０℃、７０％の恒温槽内に４週間放置した。４週間後に恒温槽から取り出し、一枚づつ剥がせるかについての判定を３名で下記基準に基づき行った。
◎：全くくっつきがなく、一枚づつ剥がすことができる。かつ、表面にベタツキが全くない。
○：くっつきがなく、一枚づつ剥がすことができる。かつ、やや表面にベタツキがある。
△：６０枚中１０枚以下がくっついている。かつ、表面にベタツキがある。
×：６０枚中１１枚以上がくっついている。かつ、表面にベタツキがかなりある。
【実施例１】
【００４０】
下記処方に基づき顆粒成分として、平均粒子径が１００μｍの造粒顆粒を配合したフィルム状の洗顔シートを作成した。
洗顔シート(質量％)
１．ヒドロキシプロピルセルロース                 18.8
２．ラウリン酸ナトリウム                         37.8
３．ヤシ油脂肪酸アミドプロピルベタイン           11.0
４．グリセリン                                   13.4
５．造粒顆粒＊                                    9.0
６．イオン交換水                                 10.0
【００４１】
(製法)
ヒドロキシプロピルセルロースは２０質量％水溶液とし、ヤシ油脂肪酸アミドプロピルベタインは３０質量％水溶液とし、１〜６の成分を６０°にて溶解し、均一な溶液にし、この溶液をガラス板上に５００μｍ用の展開具(ドクターブレード)を用いてキャステイングし、水分が１０％になるように恒温槽で乾燥し、厚み１３０μｍのフィルムを得た。フィルムは、６ｃｍ×６ｃｍの大きさに切断し、フィルム状の洗顔シートを得た。この洗顔シートを前記試験方法を用いて溶着性を確認したが、全くくっつきがなく、一枚づつ剥がすことができ、◎と判定されるものであった。
【００４２】
＊ここで用いた造粒顆粒は、下記の組成からなる。
(質量％)  
１．ポリエチレン末                        79.0
２．タルク                                10.0
３．エチルセルロース(結合材)               5.0
４．黄色酸化鉄                             5.0
５．アロエ末(薬剤)                         1.0
【００４３】
(製法)
１〜５の成分をヘンシェルミキサーを用いて均一に混合粉砕し、エタノールを添加して、混練した。その後、オシレーターを用いて２０メッシュのスクリーンから押し出し、造粒し、これを室温で２日間乾燥し、エタノールを揮発させた。その後、再び２４メッシュのスクリーンから押し出し整粒し、さらに振動篩機を用いて平均粒子径が１００μｍになるように篩い別けて造粒顆粒を得た。
【実施例２】
【００４４】
下記処方に基づき顆粒成分として、平均粒子径が１５０μｍの造粒顆粒を配合したフィルム状のシャンプーシートを作成した。
シャンプーシート(質量％)
１．プルラン                                      44.0
２．ラウリン酸ナトリウム                          10.0
３．ヤシ油脂肪酸アミドプロピルベタイン            17.6
４．ジグリセリン                                   8.8
５．造粒顆粒＊                                     7.6
６．イオン交換水                                   12.0
【００４５】
(製法)
プルランは２０質量％水溶液とし、ヤシ油脂肪酸アミドプロピルベタインは３０質量％水溶液として、１〜６の成分を６０°にて溶解し、均一な溶液にし、この溶液をガラス板上に５００μｍ用の展開具(ドクターブレード)を用いてキャステイングし、水分が１０％になるように恒温槽で乾燥し、厚み１３０μｍのフィルムを得た。フィルムは、６ｃｍ×６ｃｍの大きさに切断し、フィルム状のシャンプーシートを得た。このシャンプーシートを前記試験方法を用いて溶着性を確認したが、全くくっつきがなく、一枚づつ剥がすことができ、◎と判定されるものであった。
＊実施例２と同一の造粒顆粒を使用した。
【実施例３】
【００４６】
下記処方に基づき顆粒成分として、平均粒子径が２００μｍの造粒顆粒を配合したフィルム状の美白シートを作成した。
美白シート(質量％)
１．デンプン                                      45.0
２．プルラン                                      30.0
３．ヒアルロン酸ナトリウム                         1.5
４．グリセリン                                    12.0
５．造粒顆粒＊                                     1.5
６．イオン交換水                                  10.0
【００４７】
(製法)
デンプンとプルランは２０質量％水溶液とし、１〜６の成分を６０°にて溶解し、均一な溶液にし、この溶液をガラス板上に５００μｍ用の展開具(ドクターブレード)を用いてキャステイングし、水分が１０％になるように恒温槽で乾燥し、厚み２００μｍのフィルムを得た。フィルムは、６ｃｍ×６ｃｍの大きさに切断し、フィルム状の美白シートを得た。この美白シートを前記試験方法を用いて溶着性を確認したが、くっつきがなく、一枚づつ剥がすことができ、○と判定されるものであった。
【００４８】
＊ここで用いた造粒顆粒は、下記の組成からなる。
(質量％)
１．ポリエチレン末                        70.0
２．結晶性セルロース                       5.0
３．セラミド(保湿剤)                      10.0
４．エチルセルロース(結合材)              10.0
５．アルブチン                             5.0
【００４９】
(製法)
１〜５の成分をヘンシェルミキサーを用いて均一に混合粉砕し、エタノールを添加して、混練した。その後、オシレーターを用いて２０メッシュのスクリーンから押し出し、造粒し、これを室温で２日間乾燥し、エタノールを揮発させた。その後、再び３０メッシュのスクリーンから押し出し整粒し、さらに振動篩機を用いて平均粒子径が２００μｍになるように篩い別けて造粒顆粒を得た。
【実施例４】
【００５０】
保湿美容シート(質量％)
１．デンプン                                    35.0
２．プルラン                                    20.0
３．水溶性コラーゲン                             5.0
４．レチノール                                   1.0  
５．シリコン油                                   5.0
６．ポリエーテル変性シリコーン                   5.0
７．グリセリン                                  15.0
８．造粒顆粒＊                                   5.0
９．イオン交換水                                 9.0
【００５１】
(製法)
デンプンとプルランは２０質量％水溶液として、１〜６と８の成分を７０℃にて溶解し、ホモミキサーを用いて乳化後、７の成分を添加し、この溶液をガラス板上に５００μｍ用の展開具(ドクターブレード)を用いてキャステイングし、水分が１０％になるように恒温槽で乾燥し、厚み１００μｍのフィルムを得た。フィルムは、２ｃｍ×２ｃｍの大きさに切断し、フィルム状の保湿美容シートを得た。この保湿美容シートを前記試験方法を用いて溶着性を確認したが、くっつきがなく、一枚づつ剥がすことができ、○と判定されるものであった。
【００５２】
＊ここで用いた造粒顆粒は、平均粒子径２５０μｍで下記の組成からなる。
(質量％)
１．ポリエチレン末                        80.0
２．タルク                                10.0
３．ヒドロキシプロリン                     5.0
４．エチルセルロース                       3.0
５．赤色２２６号                           2.0
【００５３】
(製法)
既に上述した方法に準じて上記造粒顆粒を得た。
【００５４】
実施例１の組成からなるフィルム状の洗顔シートを使用して、造粒顆粒を０．１〜１１．２質量％の範囲に配合した洗顔シートを作成した。この洗顔シートの溶着性、肌への異物感、製膜性、泡立ちについて評価し、その評価結果を実施例５〜１０として、下表１に示した。
【００５５】
【表１】
2007169346.tif 000002
【００５６】
造粒顆粒を０．１〜１１．２質量％の範囲で配合した実施例５〜１０のフィルム状の洗顔シートは、溶着性、肌への異物感、製膜性、泡立ちにおいて優れたものであった。一方、造粒顆粒を配合してない比較例１においては、フィルム同士が溶着してしまい、長期間の使用に耐えることができないものであった。
【００５７】
実施例１の組成からなるフィルム状の洗顔シートを使用して、造粒顆粒を５質量％配合し、 造粒顆粒の平均粒径を５〜４００μｍの範囲に振り分けた洗顔シートを作成した。この洗顔シートの溶着性、肌への異物感、製膜性、泡立ちについて評価し、その評価結果を実施例１１〜１６として、下表２に示した。
【００５８】
【表２】
2007169346.tif 000003
【００５９】
造粒顆粒を５質量％配合し、 造粒顆粒の平均粒径を５〜４００μｍの範囲に振り分けた実施例１１〜１６のフィルム状の洗顔シートは、溶着性、肌への異物感、製膜性、泡立ちにおいて優れたものであった。一方、平均粒径が１μｍの比較例２においては、フィルム同士が溶着してしまい、長期間の使用に耐えることができないものであった。